(57)【要約】【課題】ストレーナがヘッド本体の上端から突出している場合において、運送時などの振動などによって、ストレーナが変形したりすることを防止する。【解決手段】内側に放水口２２を有し、上部外周にねじ部２３が設けられたヘッド本体２１と、その放水口の上部にストレーナ２４が設けられた消火ヘッドにおいて、ストレーナ全体を覆う取り外し可能な保護キャップ２７を設けた。保護キャップ２７の下部外周に、ねじ部２８を形成し、そのねじ部の上部に工具係合用の段部２９を形成し、ヘッド本体２１の内部に形成したねじ部にねじ結合させて取り付ける。【選択図】図１
2004248923.tif 000002
【特許請求の範囲】
【請求項１】
内側に放水口を有し、上部外周にねじ部が設けられたヘッド本体と、該放水口の上部にストレーナが設けられた消火ヘッドにおいて、
該ストレーナ全体を覆う取り外し可能な保護キャップを設けたことを特徴とする消火ヘッド。
【請求項２】
前記ストレーナは、前記ヘッド本体の上端から突出して設けられることを特徴とする請求項１記載の消火ヘッド。
【請求項３】
前記保護キャップの下部外周に、ねじ部を形成し、該ねじ部の上部に工具係合用の段部を形成し、前記ヘッド本体の内部に形成したねじ部に保護キャップのねじ部を結合することを特徴とする請求項１又は請求項２記載の消火ヘッド。
【請求項４】
前記保護キャップの内径は、前記ストレーナの外径より大きいことを特徴とする請求項１乃至請求項３のいずれかに記載の消火ヘッド。
【発明の詳細な説明】
【０００１】
【発明の属する技術分野】
この発明は、消火ヘッドに関するもので、特に船舶などに設置され、微細な水を噴射することで火災を消火する消火ヘッドに関するものである。
【０００２】
【従来の技術】
従来、消火ヘッドとして、特許文献１に示すような泡ヘッドがある。この泡ヘッドを図３を用いて説明する。ヘッド本体１の下側には発泡用の内網１３と外網１４とが設けられている。またヘッド本体１の内部には、ストレーナ６が設けられている。このストレーナ６により図示しない配管から消火剤が流れ込む時、消火剤に混入したゴミなどがヘッド本体１内に入り込むのを防いでいる。
【０００３】
このように泡ヘッドの上部にストレーナ６を設けることで、中央噴射口１５がそのゴミなどによって目詰まりするのを防止できる。しかしストレーナ６はヘッド本体の上端から突出して設けられることから、この泡ヘッドを、製造した工場から現場まで運送する際に、振動、衝撃によってストレーナ部分が破損してしまうことがあった。
【０００４】
この運送時などにおけるストレーナの破損を防止するものとして、特許文献２に示すような消火ヘッドがある。この消火ヘッドを図４を用いて説明する。図４において、ヘッド本体１の中央上部にはストレーナ６が設けられている。ヘッド本体１の上部外周にはねじ部１３が設けられ、そこには保護用の接続継手１４が接続される。接続継手１４の上部にはヘッド本体１のねじ部１３とほぼ同径のねじ部１５が設けられ、内部にはストレーナ６全体を覆う空間１６を備えている。
【０００５】
【特許文献１】
実開昭５１−１４５７９９号公報
【０００６】
【特許文献２】
特開２００２−３３６３７０号公報
【０００７】
【発明が解決しようとする課題】
このように、ストレーナを覆う接続継手を設けることで、ヘッド本体上部からストレーナが突出していても、運送時に振動などでストレーナが破損するのを防止することができる。しかし、接続継手を設けることで、この消火ヘッドを現場に設置する場合、接続継手の高さ分、天井などの取り付け面から消火ヘッドが出っ張って取り付けられることになり見栄えが悪くなってしまう。
【０００８】
【課題を解決するための手段】
本発明は、以上の問題点を解決するためになされたものであり、内側に放水口を有し、上部外周にねじ部が設けられたヘッド本体と、該放水口の上部にストレーナが設けられた消火ヘッドにおいて、ストレーナ全体を覆う取り外し可能な保護キャップを設けたことを特徴とするものである。
【０００９】
【発明の実施の形態】
図１は本発明の消火ヘッドＨの半断面図であり、左側半分が断面を示し、右側半分が外観を示している。図２は本発明の消火ヘッドＨを下側方向から見た正面図である。図において、２１はヘッド本体であり、内側に放水口２２を有し、上部外周にはねじ部２３としての雄ねじが設けられている。ヘッド本体２１の上部は中央が凹んだ形状になっており、ヘッド本体２１の内部に凹部２６が形成され、この凹部２６には放水口２２が連通している。放水口２２の上部、つまり凹部２６には、網目状の金網などからなるストレーナ２４が設けられ、後述するノズルチップ３０の噴射口の目詰まりを防止する。ストレーナ２４は、ヘッド本体２１の上端から突出して設けられ、より具体的には高さ方向において、３分の２程度がヘッド本体２１上面から突出している。このようにストレーナの突出量を大きくすることで、ゴミ等による目詰まりが起こりにくくなる。
【００１０】
２７は塩化ビニルなどの簡素な材料で形成された保護キャップである。保護キャップ２７の内径は、ストレーナ２４との間に隙間ができるように、ストレーナ２４の外径よりも大きく形成されている。そして保護キャップ２７は、ストレーナ２４全体を覆うように、ヘッド本体２１に取り外し可能に設けられる。保護キャップ２７の下部外周には、ねじ部としての雄ねじ２８が形成され、凹部２６の内周面に形成したねじ部としての雌ねじにねじ込んで結合するようになっている。保護キャップ２７は円筒状に形成され、高さ方向の中程、つまりねじ部２８の上部には、工具係合用の段部２９が形成されている。
【００１１】
保護キャップ２７は単純な円筒体で構成することで、製作が容易となるが、この保護キャップ２７を、上部が塞がれた形状で構成してもよい。このように円筒体の上部に蓋を設けた形状の場合には、ストレーナ２４にゴミが入るのを防止することができる。また円筒体の場合には、上部方向の開口からストレーナ２４に力がかかるのを防止するために、保護キャップ２７を長くして、ストレーナ２４の上端から保護キャップ２７の上端までに数ｃｍ程度のスペースを生じるようにすることが好ましい。また上部の開口にガムテープなどを貼りつけて、ストレーナ２４の上部方向をカバーするようにしてもよい。このように数ｃｍ程度のスペースを設けることで、消火ヘッドＨをストレーナ２４を下側方向にして立てたりした際、又は床に落としたりした際、上部開口から物が入りにくく、ストレーナ２４が破損するのを防止できる。
【００１２】
３０はノズルチップで、水を微細に噴射するための噴射口を備えている。ノズルチップ３０は、ヘッド本体２１の放水口２２に連通するように、ヘッド本体２１に接続されている。ノズルチップ３０は複数個設けられ、この消火ヘッドＨでは、図２に示すように、中央のノズルチップを中心として円周上に、均等に６つのノズルチップ３０が設けられている。
【００１３】
次にこの保護キャップ２７の使い方について説明する。工場で製造された消火ヘッドＨは、保護キャップ２７を取り付けた状態で出荷する。つまり保護キャップ２７の段部２９に工具を係合させて、保護キャップ２７のねじ部２８をヘッド本体２１の凹部２６のねじ部にねじ込んで両者を結合する。ここでストレーナ２４は、ヘッド本体２１から突出しているが、その突出している部分は全て保護キャップ２７によって覆われる。このため運送時などに衝撃振動が発生しても、ストレーナ２４に外力がかかることはなく、ストレーナ２４が変形したり破損するのを防止できる。
【００１４】
特に、保護キャップ２７の内径は、ストレーナ２４との間に隙間ができるように、ストレーナ２４の外径より大きく形成されるので、保護キャップ２７に外力がかかったとしても、ストレーナ２４にその力が伝わることはない。
【００１５】
そして設置現場に消火ヘッドＨを搬入したら、保護キャップ２７をヘッド本体２１から取り外す。この際、工具係合用の段部２９が形成され、ねじによって結合されているので、取り外し作業は容易であると共に、簡単な力がかかっても保護キャップ２７は抜け落ちたりしない。
【００１６】
こうして消火ヘッドＨの設置現場においては、保護キャップ２７が取り外されてから、ヘッド本体２１のねじ部２３を図示しない配管に取り付ける。このため従来技術のような接続継手をなしにヘッド本体２１を直接、配管に取り付けられるから、天井などの取り付け面からの消火ヘッドＨの突出量は小さく、美観上好ましい。
【００１７】
【発明の効果】
本発明は以上のように構成され、放水口の上部にストレーナが設けられた消火ヘッドにおいて、ストレーナ全体を覆う取り外し可能な保護キャップを設けたので、ストレーナがヘッド本体の上端から突出していても、運送時などの振動などによって、ストレーナが変形したりすることを防止できる。
【００１８】
また保護キャップは、工具係合用の段部を利用してヘッド本体にねじ結合されるので、取り外し作業は容易である共に、簡単な力がかかっても保護キャップ２７は抜け落ちたりしない。
【００１９】
保護キャップの内径は、ストレーナとの間に隙間ができるように、ストレーナの外径より大きく形成されるので、保護キャップに外力がかかったとしても、ストレーナにその力が伝わることはない。
【図面の簡単な説明】
【図１】本発明の消火ヘッドＨの半断面図である。
【図２】本発明の消火ヘッドＨを下側方向から見た正面図である。
【図３】従来の消火ッドの断面図である。
【図４】従来の消火ヘッドの断面図である。
【符号の説明】
２１  ヘッド本体、  ２２  放水口、  ２３  ねじ部、  ２４  ストレーナ、２６  凹部、  ２７  保護キャップ、  ２８  ねじ部、  Ｈ  消火ヘッド、
【図１】
2004248923.tif 000003
【図２】
2004248923.tif 000004
【図３】
2004248923.tif 000005
【図４】
2004248923.tif 000006